(57)【要約】【課題】ＮＤフィルターを動作させる場合において発生する待ち時間を必要最小限に抑えることで、シャッターボタンの半押しや全押し時のパフォーマンス低下を低減する撮像装置を提供すること。【解決手段】撮像手段と、ユーザの撮影指示に応じて撮影処理を行う撮影手段と、撮影処理においてＮＤフィルターのＯＮ／ＯＦＦを制御するＮＤフィルター制御手段と、撮影処理において手振れ補正を制御する手振れ補正制御手段と、撮像手段により得られる撮像画像の解像度に応じて、ＮＤフィルターのＯＮ／ＯＦＦ制御から撮像までの間に所定時間の待ちを発生させるよう制御する制御手段とを有することを特徴とする。【選択図】図１
2017022542.tif 000002
【特許請求の範囲】
【請求項１】
撮像手段と、
ユーザの撮影指示に応じて撮影処理を行う撮影手段と、
撮影処理においてＮＤフィルターのＯＮ／ＯＦＦを制御するＮＤフィルター制御手段と、
撮影処理において手振れ補正を制御する手振れ補正制御手段と、
撮像手段により得られる撮像画像の解像度に応じて、ＮＤフィルターのＯＮ／ＯＦＦ制御から撮像までの間に所定時間の待ちを発生させるよう制御する制御手段と
を有することを特徴とする撮像装置。
【請求項２】
前記撮像画像の解像度がＡＦ用の解像度の場合は、前記所定時間の待ちを発生させないことを特徴とする請求項１に記載の撮像装置。
【請求項３】
前記撮像画像の解像度がスルー画像用の解像度の場合は、前記所定時間の待ちを発生させないことを特徴とする請求項１又は請求項２に記載の撮像装置。
【請求項４】
前記手振れ補正制御手段が無効に設定されている場合は、前記所定時間の待ちを発生ざせないことを特徴とする請求項１乃至請求項３の何れか一項に記載の撮像装置。
【請求項５】
前記所定時間の待ちを発生させるのは、サーボＡＦ／ＡＥ設定時であることを特徴とする請求項１乃至請求項４の何れか一項に記載の撮像装置。
【請求項６】
前記所定時間の待ちを発生させるのは、フリッカー検出時であることを特徴とする請求項１乃至請求項５の何れか一項に記載の撮像装置。
【請求項７】
前記手振れ補正制御手段の状態に応じて、前記所定時間を変更することを特徴とする請求項１乃至請求項６の何れか一項に記載の撮像装置。
【請求項８】
焦点距離に応じて、前記所定時間を変更することを特徴とする請求項１乃至請求項７の何れか一項に記載の撮像装置。
【発明の詳細な説明】
【技術分野】
【０００１】
本発明は、撮像装置、撮像装置の制御方法に関し、特に、手振れ補正機構及びＮＤフィルターを内部に備える撮像装置、撮像装置の制御に関する。
【背景技術】
【０００２】
従来、露出制御の利便性を向上するためにＮＤフィルターを内部に備える撮像装置が知られている。ＮＤフィルターを使用することで、明るいシーンにおいても絞りを開いた撮影や長秒露光での撮影が可能となり、表現の幅を広げることができる。このような撮像装置では、ユーザによるシャッターボタンの半押しや全押しといった操作のタイミングで、必要に応じてＮＤフィルターが動作する。
【０００３】
ここで、ＮＤフィルターを動作させるためにＮＤフィルター制御部への通電を行う場合を考える。ＮＤフィルター制御部に通電を行うと、その周辺、例えば手振れ補正レンズの位置情報を検出するためのホール素子に対して磁界の影響を与えてしまう場合がある。さらに、ＮＤフィルターが動作すると、その振動により手振れ補正レンズが揺れてしまう場合がある。したがってシャッターボタンの半押しや全押しといった操作のタイミングでＮＤフィルターが動作すると、上述の要因により手振れ補正レンズが揺れて不安定になり、ブレ画像が取得されてしまうことになる。
【０００４】
これに対して、ＮＤフィルター動作時は手振れ補正レンズが安定するまで所定時間待った後に画像を取得する必要がある。しかしこれは、シャッターボタンの半押しや全押し時のパフォーマンス低下につながってしまう。
【０００５】
特許文献１には、動画撮影時に所定の条件に基づいてＮＤフィルターを動作させるかどうかを判定することで、違和感の少ない映像を取得する撮像装置が提案されている。これによれば、フレームレートが長い場合に、各フレームの間でＮＤフィルターを動作させれば、手振れ補正レンズが不安定な期間の画像を取得してしまうのを防ぐことができる。
【０００６】
特許文献２には、撮影画像を保存するか否かに基づいて手振れ補正制御を行う撮像装置が提案されている。
【先行技術文献】
【特許文献】
【０００７】
【特許文献１】特開２０１３−１５７６８８号公報
【特許文献２】特開２０１３−３３１８４号公報
【発明の概要】
【発明が解決しようとする課題】
【０００８】
しかしながら、特許文献１では静止画撮影時にＮＤフィルターを動作させる場合においてパフォーマンス低下を防ぐ手段とはならない。また、特許文献２では撮影画像を保存するか否かに基づいて手振れ補正制御を行うが、ＮＤフィルターの動作により手振れ補正制御自体が正常に行えない場合、ブレ画像が取得されるのを防ぐことはできない。
【０００９】
そこで、本発明の目的は、ＮＤフィルターを動作させる場合において発生する待ち時間を必要最小限に抑えることで、シャッターボタンの半押しや全押し時のパフォーマンス低下を低減する撮像装置を提供することにある。
【課題を解決するための手段】
【００１０】
上記の目的を達成するために、本発明に係る撮像装置は、撮像手段と、ユーザの撮影指示に応じて撮影処理を行う撮影手段と、撮影処理においてＮＤフィルターのＯＮ／ＯＦＦを制御するＮＤフィルター制御手段と、撮影処理において手振れ補正を制御する手振れ補正制御手段と、撮像手段により得られる撮像画像の解像度に応じて、ＮＤフィルターのＯＮ／ＯＦＦ制御から撮像までの間に所定時間の待ちを発生させるよう制御する制御手段とを有することを特徴とする。
【発明の効果】
【００１１】
本発明によれば、ＮＤフィルターを動作させる場合において発生する待ち時間を必要最小限に抑えることで、シャッターボタンの半押しや全押し時のパフォーマンス低下を低減する撮像装置を提供することができる。
【図面の簡単な説明】
【００１２】
【図１】本実施例のＮＤフィルター制御時の動作を示すフローチャートである。
【図２】本実施例の撮像装置を示すブロック図である。
【図３（ａ）】本実施例のＮＤフィルター制御判定の動作を示すフローチャートである。
【図３（ｂ）】本実施例のＮＤフィルター制御判定の動作を示すフローチャートである。
【図４】本実施例の第二のＮＤフィルター制御時の動作を示すフローチャートである。
【発明を実施するための形態】
【００１３】
以下、図面を参照して本発明の実施例を詳細に説明するが、この発明は以下の実施の形態に限定されない。また、この発明の実施の形態は発明の好ましい形態を示すものであり、発明の範囲を限定するものではない。
【００１４】
［実施例］
本実施例では、手振れ補正機構及びＮＤフィルターを内部に備える撮像装置について説明する。本実施例の撮像装置は、ユーザによるシャッターボタンの半押しや全押しといった操作のタイミングで、必要に応じてＮＤフィルターが動作する。以下に、本実施例の撮像装置について説明をする。
【００１５】
以下、図２を用いて、本実施例の撮像装置１００の主要な構成を説明する。図２において、１００は撮像装置である。システム制御部１０１は、例えば、ＣＰＵ（ＭＰＵ）、メモリ（ＤＲＡＭ、ＳＲＡＭ）などからなり、各種処理（プログラム）を実行して撮像装置１００の各ブロックを制御したり、各ブロック間でのデータ転送を制御したりする。また、システム制御部１０１は、ユーザからの操作を受け付ける操作部１０２からの操作信号に応じて、撮像装置１００の各ブロックを制御する。
【００１６】
操作部１０２は、例えば、電源ボタン、シャッターボタン、ズームレバーなどの撮影に関連する各種操作を入力するスイッチ類からなる。また、メニュー表示ボタン、決定ボタン、その他カーソルキー、ポインティングデバイス、タッチパネル等からなり、ユーザによりこれらのキーやボタンが操作されると制御部１０１に操作信号を送信する。バス１０３は、各種データ、制御信号、指示信号などを撮像装置１００の各ブロックに送るための汎用バスである。
【００１７】
ズームレンズ１０４は、光学的に焦点距離の変更が可能なレンズである。ズーム制御部１０５は、撮像画像のズーム倍率を変更するために、焦点距離を変更するようズームレンズ１０４を駆動する。フォーカスレンズ１０６は、ピント合わせを行うためのレンズである。フォーカス制御部１０７は、撮像部１１５に結像する被写体のピント合わせを行うようにフォーカスレンズ１０６を駆動する。
【００１８】
手振れ補正レンズ１０８は、ユーザの手振れによる撮像画像のブレを補正するためのレンズである。ホール素子１０９は、磁界を検出して手振れ補正レンズ１０８の位置情報を取得するための素子である。手振れ補正制御部１１０は、ホール素子１０９により手振れ補正レンズ１０８の位置情報を取得し、ユーザの手振れによる撮像画像のブレを打ち消すように手振れ補正レンズ１０８を駆動する。
【００１９】
ＮＤフィルター１１１は、撮像部１１５に取り込む光量を減少させるフィルターである。ＮＤフィルター１１１により、明るいシーンにおいても絞りを開いた撮影や長秒露光での撮影が可能となり、表現の幅を広げることができる。ＮＤフィルター制御部１１２はシャッターボタンの半押しや全押しといった操作のタイミングで必要に応じて撮像部１１５への光の経路上にＮＤフィルター１１１を出し入れするよう制御する。この際、ＮＤフィルター制御部１１２への通電が行われるが、ＮＤフィルター制御部１１２への通電によりＮＤフィルター制御部１１２周辺の磁界が変化する場合がある。
【００２０】
ホール素子１０９がこの磁界の変化の影響を受けると、手振れ補正レンズ１０８の位置情報を正しく取得できなくなるおそれがある。また、ＮＤフィルター１１１が動作すると、その振動により手振れ補正レンズ１０８が揺れてしまう場合がある。したがってシャッターボタンの半押しや全押しといった操作のタイミングでＮＤフィルター１１１が動作すると、上述の要因により手振れ補正レンズ１０８が揺れて不安定になり、ブレ画像が取得されてしまうことになる。
【００２１】
これに対して、ＮＤフィルター１１１動作時は手振れ補正レンズ１０８が安定するまで所定時間待った後に画像を取得する必要がある。しかしこれは、シャッターボタンの半押しや全押し時のパフォーマンス低下につながってしまう。絞り１１３は、撮像部１１５に取り込む光量を調整する。絞り制御部１１４は、撮像画像を最適な露出にするように絞り１１３を制御する。撮像部１１５は、レンズにより取り込まれた被写体の光学像を、ＣＣＤセンサやＣＭＯＳセンサ等の撮像素子により画像信号に変換し、アナログデジタル変換をして画像処理部１１６に送信する。
【００２２】
撮像部１１５により生成する画像信号の解像度（画素数）は、撮像装置１００の状態によりさまざまである。例えば、後述する表示部１１８にスルー画像を表示させる場合は、表示デバイスの解像度に対して十分なサイズの画像信号を生成すれば良い。また、ピント合わせを行うために画像信号を用いてコントラスト検出を行う場合は、ピント合わせを行うのに十分なサイズの画像信号を生成すれば良い。また、後述する記録媒体１２０に対して静止画像を記録する場合は、撮像部１１５が出力できる最大サイズの画像信号を生成するのが好ましい。このように、システム制御部１０１は、撮像装置１００の状態に応じて撮像部１１５により生成する画像信号の解像度を随時変更する。
【００２３】
画像処理部１１６は、入力されたデジタル画像信号に、設定値に基づいてホワイトバランスや色、明るさなどを調整する画質調整処理を行う。そして、画像処理部１１６で処理された画像信号は、システム制御部１０１により、後述する表示制御部１１７に送信される。また、画像処理部１１６は、画像信号の符号化を行い、圧縮画像信号を生成する。システム制御部１０１は、圧縮画像信号を後述する記録部１１９に送信する。
【００２４】
表示制御部１１７は、画像処理部１１５から送信された画像信号による映像や、撮像装置１００の操作をするための操作画面（メニュー画面）等を表示部１１８に表示させる。表示部１１８は、例えば、液晶ディスプレイ、有機ＥＬディスプレイ、電子ペーパー等の表示デバイスであれば何でもよい。記録部１１９は、記録媒体１２０に対して画像処理部１１６で生成された圧縮画像信号及びその他撮影に関する制御データ等を記録する。
【００２５】
記録媒体１２０は、撮像装置に内蔵された記録媒体でも、取り外し可能な記録媒体でもよく、撮像装置１００で生成した圧縮画像信号及び各種データ等を記録することができればよい。例えば、記録媒体１２０は、ハードディスク、光ディスク、光磁気ディスク、ＣＤ−Ｒ、ＤＶＤ−Ｒ、磁気テープ、不揮発性の半導体メモリ、フラッシュメモリ等のあらゆる方式の記録媒体を含む。
【００２６】
次に、本実施例の撮像装置１００の特徴的な動作について説明する。本実施例の撮像装置１００は、ＮＤフィルターを動作させる場合において発生する待ち時間を必要最小限に抑えることで、シャッターボタンの半押しや全押し時のパフォーマンス低下を低減するという特徴的な動作を実行することができる。
【００２７】
以下に、本実施例のＮＤフィルター１１１制御時における動作について図１を用いて説明する。
【００２８】
操作部１０２に含まれるシャッターボタンがユーザにより半押しまたは全押しされると、システム制御部１０１は必要に応じてＮＤフィルター制御部１１２を通じてＮＤフィルター１１１を制御する。なお、ＮＤフィルター１１１を制御するか否かの判別方法については後述する。Ｓ２００では、ＮＤフィルター１１１を動作させるためにＮＤフィルター制御部１１２への通電が開始され、ＮＤフィルター１１１は撮像部１１５への光の経路上に挿入（ＯＮ）または経路上から外される（ＯＦＦ）。
【００２９】
Ｓ２０１では、現在の撮像装置１００の状態において、撮像部１１５により生成する画像信号の解像度が所定以上かどうかを判別し、所定以上でなければＳ２０２へ進み、所定以上であればＳ２０３へ進む。例えば、撮像装置１００の状態が表示部１１８にスルー画像を表示させる状態の場合や、ピント合わせを行うために画像信号を用いてコントラスト検出を行う状態の場合は、撮像部１１５により生成する画像信号の解像度は所定以上でないと判別することができる。一方、撮像装置１００の状態が記録媒体１２０に対して静止画像を記録する状態の場合は、撮像部１１５により生成する画像信号の解像度は所定以上であると判別することができる。
【００３０】
Ｓ２０２では、撮像部１１５により生成される画像信号を取得して終了する。Ｓ２０３では、手振れ補正レンズ１０８が安定するまで所定時間の待ちを行い、Ｓ２０２へ進む。
【００３１】
本実施例によれば、静止画像を記録する場合は、手振れ補正レンズ１０８が安定するまで所定時間待った後に画像を取得するので、ブレのない画像を得ることができる。また、スルー画像を表示させる場合やピント合わせを行う場合は、使用する画像信号の解像度が手振れ補正レンズ１０８の揺れの影響を受けるレベルではないので、不要な待ちを行わないようにすることができる。
【００３２】
次に、本実施例のＮＤフィルター１１１を制御するか否かの判別方法について図３（ａ）〜（ｂ）を用いて説明する。図３（ａ）はユーザによりシャッターボタンが半押し（ＳＷ１）され、その後しばらく露出追従し、その後シャッターボタンが全押し（ＳＷ２）された場合の処理の流れを示している。なお、ＮＤフィルター１１１はＯＦＦ状態から始まるものとする。
【００３３】
Ｓ３００では、ＳＷ１が操作されたかどうかを判別し、操作されない場合はＳ３００へ戻り、操作された場合はＳ３０１へ進む。Ｓ３０１では、後述するＳＷ１ＡＦ（ピント合わせ）処理を実行する。Ｓ３０２では、後述するＳＷ１ＡＥ（露出制御）処理を実行する。Ｓ３０３では、撮像部１１５により画像信号を取得して現在の明るさを測定する。Ｓ３０４では、被写体にピントを合わせ続けるために、フォーカスレンズ１０６を制御する。また、被写体の露出を最適に保ち続けるために、Ｓ３０３にて得られた明るさに基づいて絞り１１３を制御したり、シャッター時間（撮像部１１５の露光時間）を調整したり、画像処理部１１６による画質調整処理を行う。
【００３４】
Ｓ３０５では、ＳＷ２が操作されたかどうかを判別し、操作されない場合はＳ３０３へ戻り、操作された場合はＳ３０６へ進む。Ｓ３０６では、後述するＳＷ２処理を実行する。
【００３５】
次にＳＷ１ＡＦ処理について説明する。Ｓ３１０では、ピント合わせに最適な露出を求めるために、撮像部１１５により画像信号を取得して明るさを測定する。Ｓ３１１では、Ｓ３１０で得られた明るさが所定以上かどうかを判別し、所定以上でない場合はＳ３１２へ進み、所定以上である場合はＳ３１３へ進む。Ｓ３１２では、被写体にピントを合わせるために、フォーカスレンズ１０６を制御する。
【００３６】
Ｓ３１３では、ＮＤフィルター１１１をＯＮ制御する。これにより、明るいシーンにおいても、撮像部１１５に取り込む光量を減少させ、最適な露出でピント合わせを行うことができる。なお、ここでは撮像装置１００はピント合わせを行う状態であるため、撮像部１１５により生成する画像信号の解像度は所定以下となる。したがってＳ３１３では、ＮＤフィルター１１１の制御後に手振れ補正レンズ１０８の安定待ちは行わない。
【００３７】
次にＳＷ１ＡＥ処理について説明する。Ｓ３２０では、撮像部１１５により画像信号を取得して現在の明るさを測定する。Ｓ３２１では、Ｓ３２０で得られた明るさが所定以上かどうかを判別し、所定以上でない場合はＳ３２２へ進み、所定以上である場合はＳ３２３へ進む。Ｓ３２２では、現在のＮＤフィルター１１１の状態がＯＮの場合は、ＯＦＦ制御する。これにより、暗いシーンにおいて、撮像部１１５に取り込む光量を減少させないようにし、最適な露出でスルー画像を表示することができる。
【００３８】
Ｓ３２３では、被写体の露出を最適にするために、得られた明るさに基づいて絞り１１３を制御したり、シャッター時間（撮像部１１５の露光時間）を調整したり、画像処理部１１６による画質調整処理を行う。Ｓ３２４では、現在のＮＤフィルター１１１の状態がＯＦＦの場合は、ＯＮ制御する。これにより、明るいシーンにおいて、撮像部１１５に取り込む光量を減少させ、最適な露出でスルー画像を表示することができる。なお、ここでは撮像装置１００はスルー画像を表示させる状態であるため、撮像部１１５により生成する画像信号の解像度は所定以下となる。したがってＳ３２２及びＳ３２４では、ＮＤフィルター１１１の制御後に手振れ補正レンズ１０８の安定待ちは行わない。
【００３９】
次にＳＷ２処理について説明する。Ｓ３３０では、直前の測光及びＡＥ追従の結果、現在の明るさが所定以上となったかどうかを判別し、所定以上でない場合はＳ３３１へ進み、所定以上である場合はＳ３３３へ進む。Ｓ３３１では、現在のＮＤフィルター１１１の状態がＯＮの場合は、ＯＦＦ制御する。これにより、ＡＥ追従した結果暗いシーンに変化した場合において、撮像部１１５に取り込む光量を減少させないようにし、最適な露出で静止画を記録することができる。Ｓ３３２では、静止画撮影処理を実行する。
【００４０】
Ｓ３３３では、現在のＮＤフィルター１１１の状態がＯＦＦの場合は、ＯＮ制御する。これにより、ＡＥ追従した結果明るいシーンに変化した場合において、撮像部１１５に取り込む光量を減少させ、最適な露出で静止画を記録することができる。なお、ここでは撮像装置１００は静止画像を記録する状態であるため、撮像部１１５により生成する画像信号の解像度は所定以上となる。したがってＳ３３１及びＳ３３３では、ＮＤフィルター１１１の制御後に手振れ補正レンズ１０８の安定待ちを行う。
【００４１】
図３（ｂ）はユーザによりＳＷ１され、そこでフリッカー（蛍光灯などの光源下で発生するちらつき）が検出されたことでフリッカー低減処理が行われ、その後ＳＷ２された場合の処理の流れを示している。なお、ＮＤフィルター１１１はＯＦＦ状態から始まるものとする。
【００４２】
Ｓ４００では、ＳＷ１が操作されたかどうかを判別し、操作されない場合はＳ４００へ戻り、操作された場合はＳ４０１へ進む。Ｓ４０１では、前述したＳＷ１ＡＦ（ピント合わせ）処理を実行する。Ｓ４０２では、後述するフリッカー検出用のＳＷ１ＡＥ（露出制御）処理を実行する。Ｓ４０３では、ＳＷ２が操作されたかどうかを判別し、操作されない場合はＳ４０３へ戻り、操作された場合はＳ４０４へ進む。Ｓ４０４では、後述するフリッカー検出用のＳＷ２処理を実行する。
【００４３】
次に、フリッカー検出用のＳＷ１ＡＥ処理について説明する。Ｓ４１０では、撮像部１１５により画像信号を取得して現在の明るさの測定及びフリッカーの検出を行う。以下では、ここでフリッカーが検出された場合を考える。Ｓ４１１では、Ｓ４１０で得られた明るさが所定以上かどうかを判別し、所定以上でない場合はＳ４１２へ進み、所定以上である場合はＳ４１３へ進む。Ｓ４１２では、ＮＤフィルター１１１を静止画撮影時にＯＦＦとする旨を記憶する。なお、ここではＮＤフィルター１１１は制御しない。
【００４４】
Ｓ４１３では、ＮＤフィルター１１１を静止画撮影時にＯＮとする旨を記憶する。なお、ここではＮＤフィルター１１１は制御しない。Ｓ４１４では、現在のＮＤフィルター１１１の状態がＯＮの場合は、ＯＦＦ制御する。Ｓ４１５では、フリッカーの影響を受けないシャッター時間（撮像部１１５の露光時間）を設定し、かつ被写体の露出を最適にするために、得られた明るさに基づいて絞り１１３を制御したり、画像処理部１１６による画質調整処理を行う。
【００４５】
なお、ここでは撮像装置１００はスルー画像を表示させる状態であるため、撮像部１１５により生成する画像信号の解像度は所定以下となる。したがってＳ４１４では、ＮＤフィルター１１１の制御後に手振れ補正レンズ１０８の安定待ちは行わない。フリッカー検出用のＳＷ１ＡＥ処理では、フリッカー低減処理を行う際にＮＤフィルター１１１を常にＯＦＦの状態とするため、フリッカー低減処理を簡素化することができる。
【００４６】
次に、フリッカー検出用のＳＷ２処理について説明する。Ｓ４２０では、Ｓ４１２またはＳ４１３において記憶したＮＤフィルター１１１の状態がＯＮであるかどうかを判別し、ＯＦＦである場合はＳ４２１へ進み、ＯＮである場合はＳ４２２へ進む。Ｓ４２１では、静止画撮影処理を実行する。
【００４７】
Ｓ４２２では、ＮＤフィルター１１１をＯＮ制御する。これにより、明るいシーンにおいても、撮像部１１５に取り込む光量を減少させ、最適な露出で静止画を記録することができる。なお、ここでは撮像装置１００は静止画像を記録する状態であるため、撮像部１１５により生成する画像信号の解像度は所定以上となる。したがってＳ４２２では、ＮＤフィルター１１１の制御後に手振れ補正レンズ１０８の安定待ちを行う。
【００４８】
次に、本実施例の撮像装置１００における静止画撮影時の処理について、第二の実施例を、図４を用いて説明する。図４は、ユーザによりシャッターボタンが全押し（ＳＷ２）された場合の処理の流れを示している。Ｓ５００では、ＮＤフィルター１１１制御をすべきか否かを判別し、ＮＤフィルター１１１を制御しない場合はＳ５１０へ進み、ＮＤフィルター１１１を制御する場合はＳ５０２へ進む。
【００４９】
Ｓ５０１では、静止画像を記録するために撮像部１１５による露光を開始する。Ｓ５０２では、ＮＤフィルター１１１を動作させるためにＮＤフィルター制御部１１２への通電が開始され、ＮＤフィルター１１１は撮像部１１５への光の経路上に挿入（ＯＮ）または経路上から外される（ＯＦＦ）。Ｓ５０３では、撮像装置１００の設定モードを確認し、手振れ補正設定が「入」状態か「切」状態かを判別し、「切」状態の場合はＳ５０１へ進み、「入」状態の場合はＳ５０４へ進む。Ｓ５０４では、手振れ補正レンズ１０８が安定するまで所定時間の待ちを行い、Ｓ５０１へ進む。
【００５０】
本実施例によれば、手振れ補正設定が「入」で静止画像を記録する場合は、手振れ補正レンズ１０８が安定するまで所定時間待った後に画像を取得するので、ブレのない画像を得ることができる。また、手振れ補正設定が「切」で静止画像を記録する場合は、手振れ補正レンズ１０８を常に固定しておけば、ＮＤフィルター１１１が動作しても手振れ補正レンズ１０８が揺れることがなくなる。したがって、その場合は不要な待ちを行わないようにすることができる。
【００５１】
なお、本実施例ではＮＤフィルター１１１の制御後に手振れ補正レンズ１０８が安定するまで所定時間の待ちを行ったが、手振れ補正レンズ１０８の揺れを検出し、揺れが所定の範囲に収まったかどうかに応じて待ちを抜けるようにしても良い。これにより、発生する待ち時間を必要最小限に抑えることができる。
【００５２】
また、手振れ補正レンズ１０８の揺れによる撮像画像へのブレの影響は、ズーム倍率によって変化する。ズーム倍率が小さいほど手振れ補正レンズ１０８の揺れによる撮像画像のブレは小さくなり、ズーム倍率が大きいほど手振れ補正レンズ１０８の揺れによる撮像画像のブレは大きくなる。したがって、ズームレンズ１０４による焦点距離が短い場合は待ち時間を短く設定し、ズームレンズ１０４による焦点距離が長い場合は待ち時間を長く設定するようにしても良い。これにより、発生する待ち時間を必要最小限に抑えることができる。
【００５３】
以上、本発明の好ましい実施形態について説明したが、本発明はこれらの実施形態に限定されず、その要旨の範囲内で種々の変形及び変更が可能である。
【符号の説明】
【００５４】
１００  撮像装置、１０１  システム制御部、１０２  操作部、１０３  バス、
１０４  ズームレンズ、１０５  ズーム制御部、１０６  フォーカスレンズ、
１０７  フォーカス制御部、１０８  手振れ補正レンズ、１０９  ホール素子、
１１０  手振れ補正制御部、１１１  ＮＤフィルター、１１２  ＮＤフィルター制御部、
１１３  絞り、１１４  絞り制御部、１１５  撮像部、１１６  画像処理部、
１１７  表示制御部、１１８  表示部、１１９  記録部、１２０  記録媒体
【図１】
2017022542.tif 000003
【図２】
2017022542.tif 000004
【図３（ａ）】
2017022542.tif 000005
【図３（ｂ）】
2017022542.tif 000006
【図４】
2017022542.tif 000007